(57)【要約】【課題】複数のキャリア信号についての自動利得制御処理及びＡ／Ｄ変換処理の構成を簡易化した受信機を提供する。【解決手段】受信信号に含まれる各キャリア信号を抽出する帯域制限フィルタ５ａ〜５ｄと、抽出された各キャリア信号を信号レベルに応じて第１の経路または第２の経路に切り替えるスイッチ９ａ〜９ｄと、第１の経路同士と第２の経路同士のキャリア信号をそれぞれ合成する第１及び第２の合成器１０Ａ及び１０Ｂと、合成されたキャリア信号をそれぞれ異なる利得で増幅する第１及び第２の増幅器６Ａ及び６Ｂと、増幅されたキャリア信号をアナログ信号からディジタル信号に変換する第１及び第２のＡ／Ｄ変換器７Ａ及び７Ｂと、Ａ／Ｄ変換されたディジタル信号に基づいて複数のキャリア信号に対して共通にまたはそれぞれのキャリア信号毎にディジタル処理を行うディジタル処理部１１とを備える。【選択図】図１
2006345357.tif 000002
【特許請求の範囲】
【請求項１】
異なる搬送波周波数を有する複数のキャリア信号を受信する受信機において、
受信信号に含まれる各キャリア信号を抽出するキャリア信号抽出手段と、
前記キャリア信号抽出手段により抽出された各キャリア信号を、信号レベルに応じて第１の経路または第２の経路に切り替えるキャリア信号切り替え手段と、
第１の経路同士と第２の経路同士のキャリア信号をそれぞれ合成する第１及び第２のキャリア信号合成手段と、
前記第１及び第２のキャリア信号合成手段により合成されたキャリア信号をそれぞれ異なる利得で増幅する第１及び第２のキャリア信号増幅手段と、
前記第１及び第２のキャリア信号増幅手段により増幅されたキャリア信号をアナログ信号からディジタル信号に変換する第１及び第２のキャリア信号Ａ／Ｄ変換手段と、
前記第１及び第２のＡ／Ｄ変換手段より得られるディジタル信号に基づいて複数のキャリア信号に対して共通にまたはそれぞれのキャリア信号毎にディジタル処理を行うディジタル処理手段と
を備えたことを特徴とする受信機。
【発明の詳細な説明】
【技術分野】
【０００１】
本発明は、複数キャリアを受信する受信機に関し、特に、複数キャリア信号についての自動利得制御処理、Ａ／Ｄ変換処理の構成を簡易化した受信機に関する。
【背景技術】
【０００２】
従来、例えば、Ｗ（Wideband）−ＣＤＭＡ（Code Division Multiple Access）方式やＣＤＭＡ２０００方式などのＣＤＭＡ方式の基地局装置では、複数のキャリア信号を受信して、それぞれのキャリア信号に対して同一のハードウェアで処理されていた。
【０００３】
図６は、従来のＣＤＭＡ無線基地局装置の受信機の構成例を示すブロック図である。
図６に示す受信機は、アンテナ１と、アンテナ１で受信した複数のキャリア信号を増幅する低雑音増幅器２と、低雑音増幅器２を介して増幅されたそれぞれのキャリア毎に周波数変換するミキサ３ａ〜３ｄ及び局部発信器４ａ〜４ｄと、ミキサ３ａ〜３ｄの出力を帯域制限する帯域制限フィルタ５ａ〜５ｄと、帯域制限フィルタ５ａ〜５ｄを介して帯域制限された出力をあらかじめ設定された基準レベルになるように自動利得制御する可変利得増幅器６ａ〜６ｄと、可変利得増幅器６ａ〜６ｄの出力をディジタル信号に変換するＡ／Ｄ変換器７ａ〜７ｄと、Ａ／Ｄ変換器７ａ〜７ｄを介したディジタル信号を入力して復調処理するディジタル信号処理部８とを備えている（例えば、特許文献１参照）。
【０００４】
上記構成を備える受信機において、アンテナ１で受信した複数のキャリア信号は低雑音増幅器２で増幅されて、それぞれのキャリア毎にミキサ３ａ〜３ｄと局部発信器４ａ〜４ｄで周波数変換される。そして、帯域制限フィルタ５ａ〜５ｄで帯域制限された後に、可変利得増幅器６ａ〜６ｄであらかじめ設定された基準レベルになるように自動利得制御され、Ａ／Ｄ変換器７ａ〜７ｄによりディジタル信号に変換されて、ディジタル信号処理部８で復調処理される。
【０００５】
【特許文献１】特開２００４−２６０７７５号公報
【発明の開示】
【発明が解決しようとする課題】
【０００６】
しかしながら、上記のようにそれぞれのキャリア信号に対して同一のハードウェアを用意すると、ハードウェア容積やコストが大きくなってしまうという問題があった。
また、アナログ部だけで利得制御を行うと、受信レベルの急峻な変化に対応できず、ディジタル部でも自動利得制御を行わなければならないという制御の複雑さもあった。
これを解決する手段として、ディジタル部のみで利得制御を行う方法もあるが、Ａ／Ｄ変換器の前までで利得制御が行われないため、Ａ／Ｄ変換器のダイナミックレンジが不足するという問題があった。
【０００７】
本発明は、このような問題を解決するためになされたもので、複数キャリア信号についての自動利得制御処理及びＡ／Ｄ変換処理の構成を簡易化した受信機を提供するものである。
【課題を解決するための手段】
【０００８】
上記の目的を達成するために、本発明に係る受信機は、異なる搬送波周波数を有する複数のキャリア信号を受信する受信機において、受信信号に含まれる各キャリア信号を抽出するキャリア信号抽出手段と、前記キャリア信号抽出手段により抽出された各キャリア信号を、信号レベルに応じて第１の経路または第２の経路に切り替えるキャリア信号切り替え手段と、第１の経路同士と第２の経路同士のキャリア信号をそれぞれ合成する第１及び第２のキャリア信号合成手段と、前記第１及び第２のキャリア信号合成手段により合成されたキャリア信号をそれぞれ異なる利得で増幅する第１及び第２のキャリア信号増幅手段と、前記第１及び第２のキャリア信号増幅手段により増幅されたキャリア信号をアナログ信号からディジタル信号に変換する第１及び第２のキャリア信号Ａ／Ｄ変換手段と、前記第１及び第２のＡ／Ｄ変換手段より得られるディジタル信号に基づいて複数のキャリア信号に対して共通にまたはそれぞれのキャリア信号毎にディジタル処理を行うディジタル処理手段とを備えたことを特徴とする。
【発明の効果】
【０００９】
本発明によれば、異なる搬送波周波数を有する複数のキャリア信号を受信する受信機において、信号レベルが大きく異ならないキャリア信号同士を合成してＡ／Ｄ変換する構成であるため、合成後の増幅手段の利得が異なれば、固定の利得でもＡ／Ｄ変換手段のダイナミックレンジを大きく失うことがなく、自動利得制御を完全にディジタル部のみで行うことができ、増幅手段及びＡ／Ｄ変換手段がキャリア信号の数より少なくでき、ハードウェア容積やコストを効率化することができる。
【発明を実施するための最良の形態】
【００１０】
本発明に係る受信機の各実施の形態について図面を参照して説明する。
本発明に係る受信機では、キャリア信号の数Ｎが４で、キャリア信号切り替え手段により切り替えられる経路の数Ｍが２である場合を例として説明する。
【００１１】
＜第１の実施の形態＞
図１は、本発明の第１の実施の形態に係る受信機の構成を示すブロック図である。
図１に示す第１の実施の形態に係る受信機では、４つのキャリア信号として周波数軸上で連続して隣接する４つの搬送波周波数Ｆ１、Ｆ２、Ｆ３、Ｆ４が用いられているものとし、これらが等間隔に配置されているとする。そして、全てのキャリア信号に対して共通に、無線信号を受信するアンテナ１と、受信信号を増幅する低雑音増幅器２と、受信信号の周波数を変換するミキサ３と局部発振器４が備えられている。
【００１２】
また、それぞれのキャリア信号毎に、帯域制限フィルタ５ａ〜５ｄとスイッチ９ａ〜９ｄが備えられ、スイッチ９ａ〜９ｄの後には合成器１０Ａ及び１０Ｂと、増幅器６Ａ及び６Ｂと、Ａ／Ｄ変換器７Ａ及び７Ｂと、ディジタル信号処理部１１とが備えられている。
【００１３】
すなわち、それぞれ異なる搬送波周波数を有する複数のキャリア信号を受信するに際して、それぞれのキャリア信号毎に、キャリア信号抽出手段としての帯域制限フィルタ５ａ〜５ｄと、キャリア信号切り替え手段としてのスイッチ９ａ〜９ｄを備え、また、第１及び第２のキャリア信号合成手段としての合成器１０Ａ及び１０Ｂと、第１及び第２のキャリア信号増幅手段としての増幅器６Ａ及び６Ｂと、第１及び第２のＡ／Ｄ変換手段としてのＡ／Ｄ変換器７Ａ及び７Ｂとを備える。
【００１４】
それぞれのキャリア信号に対応するキャリア信号抽出手段としての帯域制限フィルタ５ａ〜５ｄは、受信信号に含まれるキャリア信号を抽出する。それぞれのキャリア信号に対応するキャリア信号切り替え手段としてのスイッチ９ａ〜９ｄは、キャリア信号抽出手段により抽出されるキャリア信号を、例えば、あらかじめ設定した閾値よりも大きなレベルであれば第１の経路に、小さければ第２の経路に切り替える。ここで、経路の切り替えが頻繁に行われるのを防ぐため、第１の経路から第２の経路に切り替える閾値と、第２の経路から第１の経路に切り替える閾値が異なるようにヒステリシスをもたせることが好ましい。
【００１５】
第１及び第２のキャリア信号合成手段としての合成器１０Ａ及び１０Ｂでは、第１の経路同士及び第２の経路同士を合成する。第１及び第２のキャリア信号増幅手段としての増幅器６Ａ及び６Ｂは、第１及び第２のキャリア信号合成手段により合成されたキャリア信号をそれぞれ異なる利得で増幅する。
【００１６】
第１及び第２のキャリア信号Ａ／Ｄ変換手段としてのＡ／Ｄ変換器７Ａ及び７Ｂは、第１及び第２のキャリア信号増幅手段により増幅されたキャリア信号をアナログ信号からディジタル信号に変換する。また、複数のキャリアに対して共通にまたはそれぞれのキャリア毎にＡ／Ｄ変換手段より得られるディジタル信号に基づいてそれぞれのキャリア信号についてのディジタル処理を行うディジタル処理手段としてのディジタル信号処理部１１によりディジタル処理が行われる。
【００１７】
このように、ダイレクトコンバージョン方式において、簡易な構成により、複数キャリア信号についての自動利得制御処理、Ａ／Ｄ変換処理を行うことができる。
【００１８】
次に、第１の実施の形態に係る受信機により行われる動作の一例を示す。
アンテナ１は、４つの搬送波周波数Ｆ１〜Ｆ４に対応する４つのキャリア信号を受信して、低雑音増幅器２は、受信したキャリア信号を増幅する。
【００１９】
ミキサ３は、局部発振器４からの信号と低雑音増幅器２からの信号を用いて周波数変換し、帯域制限フィルタ５ａ〜５ｄへ出力する。ミキサ３で周波数変換された搬送波周波数Ｆ１、Ｆ２、Ｆ３、Ｆ４を有するキャリア信号はｆ１、ｆ２、ｆ３、ｆ４となり、帯域制限フィルタ５ａ〜５ｄでそれぞれ異なる４つの周波数帯でチャネル選択される。
【００２０】
スイッチ９ａ〜９ｄでは、帯域制限フィルタ５ａ〜５ｄでチャネル選択されたそれぞれのキャリア信号を、例えば、あらかじめ設定した閾値よりも大きなレベルであれば第１の経路に、小さければ第２の経路に切り替える。
【００２１】
合成器１０Ａは、スイッチ９ａ〜９ｄの第１の経路同士を、合成器１０Ｂは、スイッチ９ａ〜９ｄの第２の経路同士を合成する。増幅器６Ａと６Ｂは、合成器１０Ａと１０Ｂにより合成されたキャリア信号をそれぞれ異なる利得で増幅する。
【００２２】
Ａ／Ｄ変換器７Ａと７Ｂは、増幅器６Ａと６Ｂにより増幅されたキャリア信号をアナログ信号からディジタル信号に変換する。ディジタル信号処理部１１は、複数のキャリアに対して共通にまたはそれぞれのキャリア毎に、Ａ／Ｄ変換器７Ａと７Ｂより得られるディジタル信号に基づいてそれぞれのキャリア信号についてのディジタル処理を行う。
【００２３】
従って、第１の実施の形態によれば、信号レベルが大きく異ならないキャリア信号同士を合成してＡ／Ｄ変換する構成であるため、合成後の第１及び第２のキャリア信号増幅手段としての増幅器６Ａと６Ｂの利得が異なれば、固定の利得でもキャリア信号をＡ／Ｄ変換するキャリア信号Ａ／Ｄ変換手段としてのＡ／Ｄ変換器７Ａと７Ｂのダイナミックレンジを大きく失うことがなく、自動利得制御を完全にディジタル部のみで行うことができ、キャリア信号増幅手段及びキャリア信号Ａ／Ｄ変換手段がキャリア信号の数より少なくてもよいため、ハードウェア容積やコストを効率化することができる。
【００２４】
図２は、ディジタル信号処理部１１の内部を示すブロック図であり、２つのディジタル直交復調器１１１ａ〜１１１ｂと、これらディジタル直交復調器１１１ａ〜１１１ｂを切換えるスイッチ１１２ａ〜１１２ｄ、ミキサ１１３ａ〜１１３ｄ、ＡＧＣ１１４ａ〜１１４ｄを備え、各ＡＧＣ１１４ａ〜１１４ｄからそれぞれ復調ベースバンド信号Ｆ１〜Ｆ４を出力する構成を有している。また、図３（ａ）は、各スイッチ９ａ〜９ｄの構成を示す回路図であり、ウィルキンリン分配器９１、ダイオードスイッチ９２を備え、端子Ｔ１〜Ｔ３がそれぞれ１０Ａ、ＡＧＣ１１４ｄ、１０Ｂに接続されている。なお、図３（ｂ）はＡＧＣの動作を示している。
【００２５】
＜第２の実施の形態＞
図４は、本発明の第２の実施の形態に係る受信機の構成を示すブロック図である。
図４に示す第２の実施の形態において、図１に示す第１の実施の形態と同一部分は同一符号を付し、その説明は省略する。図４に示す第２の実施の形態に係る受信機においては、４つのキャリア信号として周波数軸上で連続して隣接する４つの搬送波周波数Ｆ１、Ｆ２、Ｆ３、Ｆ４が用いられ、これらが等間隔に配置されているものとする。そして、全てのキャリア信号に対して共通に、アンテナ１と低雑音増幅器２と、第１のミキサ３と第１の局部発振器４が備えられている。
【００２６】
また、それぞれのキャリア信号毎に、第２のミキサ３ａ〜３ｄと、第２の局部発振器４ａ〜４ｄと、帯域制限フィルタ５ａ〜５ｄと、スイッチ９ａ〜９ｄとが備えられ、スイッチ９ａ〜９ｄの後には、合成器１０Ａ及び１０Ｂと、増幅器６Ａ及び６Ｂと、Ａ／Ｄ変換器７Ａ及び７Ｂと、ディジタル信号処理部１１が備えられている。
【００２７】
すなわち、第２の実施の形態に係る受信機では、複数のキャリア信号に対して共通に信号を受信するアンテナ１と、受信信号を増幅する低雑音増幅器２と、受信信号を周波数変換する第１の周波数変換手段としての局部発振器４とを備え、アンテナ１は無線信号を受信し、低雑音増幅器２は受信信号を増幅する。そして、第１の周波数変換手段としての第１のミキサ３と第１の局部発振器４は受信信号の周波数を変換する。
【００２８】
また、第１の周波数変換手段の後でさらに周波数変換を行う第２の周波数変換手段として、それぞれのキャリア信号毎に、第２のミキサ３ａ〜３ｄと、第２の局部発振器４ａ〜４ｄとを備える。この第２の周波数変換手段は、複数のキャリア信号に対して共通にまたはそれぞれのキャリア毎に周波数変換を行う。
【００２９】
また、それぞれのキャリア信号毎に、キャリア信号抽出手段を構成する帯域制限フィルタ５ａ〜５ｄと、キャリア信号切り替え手段を構成するスイッチ９ａ〜９ｄとを備え、また、第１及び第２のキャリア信号合成手段を構成する第１及び第２の合成器１０Ａ及び１０Ｂと、第１及び第２のキャリア信号増幅手段を構成する第１及び第２の増幅器６Ａ及び６Ｂと、第１及び第２のＡ／Ｄ変換手段を構成する第１及び第２のＡ／Ｄ変換器７Ａ及び７Ｂとを備える。
【００３０】
それぞれのキャリア信号に対応する帯域制限フィルタ５ａ〜５ｄは、受信信号に含まれるキャリア信号を抽出する。それぞれのキャリア信号に対応するスイッチ９ａ〜９ｄは、キャリア信号抽出手段により抽出されるキャリア信号を、例えば、あらかじめ設定した閾値よりも大きなレベルであれば第１の経路に、小さければ第２の経路に切り替える。
【００３１】
第１及び第２の合成器１０Ａ及び１０Ｂでは、第１の経路同士及び第２の経路同士を合成する。第１及び第２の増幅器６Ａ及び６Ｂは、第１及び第２の合成器１０Ａ及び１０Ｂにより合成されたキャリア信号をそれぞれ異なる利得で増幅する。
【００３２】
第１及び第２のＡ／Ｄ変換器７Ａ及び７Ｂは、第１及び第２の増幅器６Ａ及び６Ｂにより増幅されたキャリア信号をアナログ信号からディジタル信号に変換する。また、複数のキャリアに対して共通にまたはそれぞれのキャリア毎にディジタル処理手段１１を備える。ディジタル処理手段１１では、複数のキャリアに対して共通にまたはそれぞれのキャリア毎に、Ａ／Ｄ変換器７Ａ及び７Ｂより得られるディジタル信号に基づいてそれぞれのキャリア信号についてのディジタル処理を行う。
【００３３】
このように、スーパーヘテロダイン方式において、簡易な構成により、複数キャリア信号についての自動利得制御処理、Ａ／Ｄ変換処理を行うことができる。なお、スーパーヘテロダイン方式における周波数変換は、必ずしも２段に限定されず、３段以上を用いることも可能である。
【００３４】
次に、第２の実施の形態に係る受信機により行われる動作の一例を示す。
アンテナ１は、４つの搬送波周波数Ｆ１〜Ｆ４に対応する４つのキャリア信号を受信し、低雑音増幅器２は、受信したキャリア信号を増幅する。
【００３５】
第１のミキサ３は、第１の局部発振器４からの信号と低雑音増幅器２からの信号を用いて周波数変換し、第２のミキサ３ａ〜３ｄヘ出力する。第１のミキサ３で周波数変換された搬送波周波数Ｆ１、Ｆ２、Ｆ３、Ｆ４を有するキャリア信号はｆ１、ｆ２、ｆ３、ｆ４となる。
【００３６】
第２のミキサ３ａ〜３ｄは、第２の局部発振器４ａ〜４ｄからの信号と第１のミキサ３からの信号を用いて周波数変換し、帯域制限フィルタ５ａ〜５ｄへ出力する。第２のミキサ３ａ〜３ｄで周波数変換されたキャリア信号はｆ１'、ｆ２'、ｆ３'、ｆ４'となり、帯域制限フィルタ５ａ〜５ｄでそれぞれ異なる４つの周波数帯でチャネル選択される。
【００３７】
スイッチ９ａ〜９ｄは、帯域制限フィルタ５ａ〜５ｄでチャネル選択されたそれぞれのキャリア信号を、例えば、あらかじめ設定した閾値よりも大きなレベルであれば第１の経路に、小さければ第２の経路に切り替える。
【００３８】
合成器１０Ａは、スイッチ９ａ〜９ｄの第１の経路同士を、合成器１０Ｂは、スイッチ９ａ〜９ｄの第２の経路同士を合成する。増幅器６Ａと６Ｂは、合成器１０Ａ、１０Ｂにより合成されたキャリア信号をそれぞれ異なる利得で増幅する。
【００３９】
Ａ／Ｄ変換器７Ａと７Ｂは、増幅器６Ａと６Ｂにより増幅されたキャリア信号をアナログ信号からディジタル信号に変換する。ディジタル信号処理部１１は、複数のキャリアに対して共通にまたはそれぞれのキャリア毎に、Ａ／Ｄ変換器より得られるディジタル信号に基づいてそれぞれのキャリア信号についてのディジタル処理を行う。
【００４０】
従って、第２の実施の形態によれば、簡易な構成により、複数キャリア信号についての自動利得制御処理及びＡ／Ｄ変換処理を行うことができる。
【００４１】
＜第３の実施の形態＞
図５は、本発明の第３の実施の形態に係る受信機の構成を示すブロック図である。
図５に示す第３の実施の形態において、図４に示す第２の実施の形態２と同一部分は同一符号を付してその説明は省略する。図５に示す第３の実施の形態に係る受信機においては、４つのキャリア信号として周波数軸上で連続して隣接する４つの搬送波周波数Ｆ１、Ｆ２、Ｆ３、Ｆ４が用いられ、これら４つの搬送波周波数Ｆ１、Ｆ２、Ｆ３、Ｆ４が変化し得るものとする。そして、全てのキャリア信号に対して共通に、アンテナ１と低雑音増幅器２が備えられている。
【００４２】
また、それぞれのキャリア信号毎に、第１のミキサ３ａ〜３ｄと、第１の局部発振器４ａ〜４ｄと、第１の帯域制限フィルタ１２ａ〜１２ｄと、第２のミキサ１３ａ〜１３ｄと、第２の局部発振器１４ａ〜１４ｄと、第２の帯域制限フィルタ５ａ〜５ｄと、スイッチ９ａ〜９ｄが備えられ、スイッチ９ａ〜９ｄの後には、合成器１０Ａ及び１０Ｂと、増幅器６Ａ及び６Ｂと、Ａ／Ｄ変換器７Ａ及び７Ｂと、ディジタル信号処理部１１が備えられている。
【００４３】
すなわち、第３の実施の形態に係る受信機では、複数のキャリア信号に対して共通に、信号を受信するアンテナ１と、受信信号を増幅する低雑音増幅器２とを備え、アンテナ１は無線信号を受信し、低雑音増幅器２は受信信号を増幅する。また、それぞれのキャリア信号毎に、第１の周波数変換手段としての第１のミキサ３ａ〜３ｄ及び第１の局部発振器４ａ〜４ｄと、キャリア信号帯域制限手段としての第１の帯域制限フィルタ１２ａ〜１２ｄとを備える。
【００４４】
第１の周波数変換手段は、それぞれのキャリア信号毎に、複数のキャリア信号の中心周波数を同一の周波数へ変換する。キャリア信号帯域制限手段は、第１の周波数変換手段により周波数変換された信号を複数のキャリア信号について同一の中心周波数を用いて帯域制限する。
【００４５】
また、それぞれのキャリア信号毎に第２の周波数変換手段としての第２のミキサ１３ａ〜１３ｄ及び第２の局部発振器１４ａ〜１４ｄと、帯域制限フィルタとしての第２の帯域制限フィルタ５ａ〜５ｄとを備える。
【００４６】
第２の周波数変換手段は、キャリア信号帯域制限手段により帯域制限されたキャリア信号を周波数変換する。帯域制限フィルタは、それぞれのキャリア毎に、キャリア信号抽出手段を構成して第２の周波数変換手段により周波数変換された信号からキャリア信号を抽出する。
【００４７】
また、キャリア信号切り替え手段を構成するスイッチ９ａ〜９ｄと、第１及び第２のキャリア信号合成手段を構成する第１及び第２の合成器１０Ａ及び１０Ｂと、第１及び第２のキャリア信号増幅手段を構成する第１及び第２の増幅器６Ａ及び６Ｂと、第１及び第２のＡ／Ｄ変換手段を構成する第１及び第２のＡ／Ｄ変換器７Ａ及び７Ｂとを備える。
【００４８】
それぞれのキャリア信号に対応するスイッチ９ａ〜９ｄは、キャリア信号抽出手段により抽出されるキャリア信号を、例えば、あらかじめ設定した閾値よりも大きなレベルであれば第１の経路に、小さければ第２の経路に切り替える。
【００４９】
第１及び第２の合成器１０Ａ及び１０Ｂでは、第１の経路同士及び第２の経路同士を合成する。第１及び第２の増幅器６Ａ及び６Ｂは、第１及び第２の合成器１０Ａ及び１０Ｂにより合成されたキャリア信号をそれぞれ異なる利得で増幅する。
【００５０】
第１及び第２のＡ／Ｄ変換器７Ａ及び７Ｂは、第１及び第２の増幅器６Ａ及び６Ｂにより増幅されたキャリア信号をアナログ信号からディジタル信号に変換する。また、複数のキャリアに対して共通にまたはそれぞれのキャリア毎にディジタル処理するディジタル処理手段１１を備え、ディジタル処理手段１１では、複数のキャリアに対して共通にまたはそれぞれのキャリア毎に、Ａ／Ｄ変換器７Ａ及び７Ｂより得られるディジタル信号に基づいてそれぞれのキャリア信号についてのディジタル処理を行う。
【００５１】
このように、それぞれのキャリア信号の周波数として種々なものが用いられる場合において、簡易な構成により、複数キャリア信号についての自動利得制御処理、Ａ／Ｄ変換処理を行うことができる。
【００５２】
ここで、上述した全ての構成例において、キャリア信号切り替え手段により切り替えられる経路の数は、種々な数が用いられてもよく、そのとき、キャリア信号合成手段、キャリア信号増幅手段、キャリア信号Ａ／Ｄ変換手段はキャリア信号切り替え手段により切り替えられる経路の数と同数を備えることとなる。
【００５３】
次に、第３の実施の形態に係る受信機により行われる動作の一例を示す。
アンテナ１は、４つの搬送波周波数Ｆ１〜Ｆ４に対応する４つのキャリア信号を受信し、低雑音増幅器２は、アンテナ１で受信したキャリア信号を増幅する。
【００５４】
第１のミキサ３ａ〜３ｄは、第１の局部発振器４ａ〜４ｄからの信号と低雑音増幅器２からの信号を用いて周波数変換し、第１の帯域制限フィルタ１２ａ〜１２ｄへ出力する。第１のミキサ３ａ〜３ｄで周波数変換された搬送波周波数Ｆ１、Ｆ２、Ｆ３、Ｆ４を有するキャリア信号はｆ１、ｆ２、ｆ３、ｆ４となり、帯域制限フィルタ１２ａ〜１２ｄでそれぞれ同一の周波数帯でチャネル選択される。
【００５５】
第２のミキサ１３ａ〜１３ｄは、第２の局部発振器１４ａ〜１４ｄからの信号と第１の帯域制限フィルタ１２ａ〜１２ｄからの信号を用いて周波数変換し、帯域制限フィルタ５ａ〜５ｄへ出力する。第２のミキサ１３ａ〜１３ｄで周波数変換されたキャリア信号はｆ１'、ｆ２'、ｆ３'、ｆ４'となり、帯域制限フィルタ５ａ〜５ｄでそれぞれ異なる４つの周波数帯でチャネル選択される。
【００５６】
スイッチ９ａ〜９ｄでは、帯域制限フィルタ５ａ〜５ｄでチャネル選択されたそれぞれのキャリア信号を、例えば、あらかじめ設定した閾値よりも大きなレベルであれば第１の経路に、小さければ第２の経路に切り替える。合成器１０Ａは、スイッチ９ａ〜９ｄの第１の経路同士を、合成器１０Ｂは、スイッチ９ａ〜９ｄの第２の経路同士を合成する。
【００５７】
増幅器６Ａ及び６Ｂは、合成器１０Ａ及び１０Ｂにより合成されたキャリア信号をそれぞれ異なる利得で増幅する。Ａ／Ｄ変換器７Ａ及び７Ｂは、増幅器６Ａ及び６Ｂにより増幅されたキャリア信号をアナログ信号からディジタル信号に変換する。ディジタル信号処理部１１は、複数のキャリアに対して共通にまたはそれぞれのキャリア毎に、Ａ／Ｄ変換器７Ａ及び７Ｂにより得られるディジタル信号に基づいてそれぞれのキャリア信号についてのディジタル処理を行う。
【００５８】
従って、第３の実施の形態によれば、それぞれのキャリア信号の周波数として種々なものが用いられる場合においても、簡易な構成により、複数キャリア信号についての自動利得制御処理及びＡ／Ｄ変換処理を行うことができる。
【図面の簡単な説明】
【００５９】
【図１】本発明の第１の実施の形態に係る受信機の構成を示すブロック図である。
【図２】ディジタル信号処理部の内部を示すブロック図である。
【図３】（ａ）はスイッチの回路を示す図であり、（ｂ）はＡＧＣの動作を示す図である。
【図４】本発明の第２の実施の形態に係る受信機の構成を示すブロック図である。
【図５】本発明の第３の実施の形態に係る受信機の構成を示すブロック図である。
【図６】従来の受信機の構成を示すブロック図である。
【符号の説明】
【００６０】
１  アンテナ、２  低雑音増幅器、３，３ａ〜３ｄ，１３ａ〜１３ｄ  ミキサ、４，４ａ〜４ｄ，１４ａ〜１４ｄ  局部発振器、５ａ〜５ｄ，１２ａ〜１２ｄ  帯域制限フィルタ、９ａ〜９ｄ  スイッチ、１０Ａ，１０Ｂ  合成器、６Ａ，６Ｂ  増幅器、７Ａ，７Ｂ  Ａ／Ｄ変換器、１１  ディジタル信号処理部。
【図１】
2006345357.tif 000003
【図２】
2006345357.tif 000004
【図３】
2006345357.tif 000005
【図４】
2006345357.tif 000006
【図５】
2006345357.tif 000007
【図６】
2006345357.tif 000008